(57)【要約】【課題】  個包装を解いて内容物を取り出す度に生じるゴミとしての個包装材をスマートに処理することができるゴミ箱機能を備えた包装袋を提供することにある。【解決手段】  複数個の個包装品を収納する包装袋であって、該包装袋は複数個の個包装品を収納する収納空間の他に、少なくとも一つの空き空間を備えていることを特徴とする包装袋であり、また、ガセット折込部を少なくとも一つ備えた筒状体の前記ガセット折込部と直交する方向の両端部を端部熱接着部で密封した包装袋であって、前記ガセット折込部の対向する折込み開始端部と前記ガセット折込部の対向する一方の前記端部とを略Ｌ字形状に接着してなることを特徴とする包装袋。【選択図】      図１
2008213876.tif 000002
【特許請求の範囲】
【請求項１】
複数個の個包装品を収納する包装袋であって、該包装袋は複数個の個包装品を収納する収納空間の他に、少なくとも一つの空き空間を備えていることを特徴とする包装袋。
【請求項２】
請求項１記載の包装袋が、ガセット折込部を少なくとも一つ備えた筒状体の前記ガセット折込部と直交する方向の両端部を端部熱接着部で密封した包装袋であって、前記ガセット折込部の対向する折込み開始端部と前記ガセット折込部の対向する一方の前記端部とを略Ｌ字形状に接着してなることを特徴とする包装袋。
【発明の詳細な説明】
【技術分野】
【０００１】
本発明は、複数個の個包装された食品等の内容物が収納された包装袋の構造に関し、更に詳しくは、個包装された食品等の内容物を使用するために個包装を解いて内容物を取り出した際に、解かれた個包装材を収納する空間を備えた包装袋に関するものである。
【背景技術】
【０００２】
従来から、飴、チョコレート、パイ、クッキー等の内容物が一つずつないし複数個を個包装し、この個包装した複数個がより大きな包装袋（外装袋）に収納されて販売されている。これらの内容物を家庭等の室内で食する場合には、個包装を解いて内容物を取り出した後の個包装材は室内に備え付けられているゴミ箱等に捨てられるから、室内に散乱することはなく、室内を汚すこともない。
【０００３】
しかしながら、上記した内容物を屋外で食する場合等において、ゴミ箱が近辺にない場合には個包装を解いて内容物を取り出した後の個包装材の捨て場に困ることがある。この場合、仕方なく鞄やポケット等に一時的に入れ、ゴミ箱等があるところまで持参した後にゴミ箱等に捨てることになるが、たとえば、食品の匂いや油等が付着した個包装材を鞄やポケット等に一時的に入れると、その匂いや油等が鞄やポケット等に付着する虞があり、鞄やポケット等に直に入れることに少々抵抗感を持つ人もいるという問題がある。
【０００４】
そこで上記問題が気になる場合には、内容物を取り出した後の個包装材を、再度外装袋に戻し、外装袋をゴミ箱兼用とする場合もあるが、この場合は内容物が入った個包装と内容物を取り出した後の個包装材とが外装袋内で混在することになり、内容物が入った個包装を外装袋内から探して取り出すのが少々面倒であるという問題がある。
【０００５】
また、極端な場合には、内容物を取り出した後の個包装材を、路上をゴミ箱代わりとして捨てて路上に散乱させると共に路上を汚すという問題もある。
【０００６】
なお、この種の問題を解決するものとしては、紙箱において開示されているものがある（たとえば、特許文献１参照）。特許文献１には、角筒状の紙箱の一端に物を押し込む時のみ開口し、それ以外は閉鎖状態となる反動蓋部を設け、内部にはスライド可能な分離板を設けてゴミを収納可能とした菓子用紙箱が開示されているが、出願人は、本発明の包装袋の特徴に直接関連した内容が開示されている先行技術文献を現段階では認識していないために、本明細書では、先行技術文献情報の記載は行っていない。
【特許文献１】特開平６−１３５４３６号公報
【発明の開示】
【発明が解決しようとする課題】
【０００７】
そこで本発明は、上記問題に鑑みてなされたものであって、その目的とするところは、個包装を解いて内容物を取り出す度に生じるゴミとしての個包装材をスマートに処理することができるゴミ箱機能を備えた包装袋を提供することにある。
【課題を解決するための手段】
【０００８】
本発明者は、上記課題を達成するために、請求項１記載の本発明は、複数個の個包装品を収納する包装袋であって、該包装袋は複数個の個包装品を収納する収納空間の他に、少なくとも一つの空き空間を備えていることを特徴とするものである。
【０００９】
また、請求項２記載の本発明は、請求項１記載の包装袋が、ガセット折込部を少なくとも一つ備えた筒状体の前記ガセット折込部と直交する方向の両端部を端部熱接着部で密封した包装袋であって、前記ガセット折込部の対向する折込み開始端部と前記ガセット折込部の対向する一方の前記端部とを略Ｌ字形状に接着してなることを特徴とするものである。
【発明の効果】
【００１０】
本発明の第１の構成による包装袋は、複数個の個包装品を収納する収納空間と少なくとも一つの空き空間を備えていることにより、また、本発明の第２の構成による包装袋は、複数個の個包装品を収納する収納空間と少なくとも一つのガセット折込部の外側に設けた空き空間を備えていることにより、この少なくとも一つの空き空間をゴミ箱として用いることができ、個包装を解いて内容物を取り出す度に生じるゴミとしての個包装材をこの空間に収納することにより、散逸することなく、内容物の匂いや油等が鞄やポケット等の他の物に付着することなく、スマートに処理することができると共に、空き空間に収納されたゴミとしての個包装材を包装袋と一緒に一度に極めて効率的に廃棄することができるという優れた効果を奏するものである。
【発明を実施するための最良の形態】
【００１１】
上記の本発明について、図面等を用いて以下に詳述する。
図１は本発明にかかる包装袋の第１実施形態を示す（ａ）は平面図，（ｂ）は図解的に示すＸ−Ｘ線断面図，（ｃ）は図解的に示すＹ−Ｙ線断面図、図２は本発明にかかる包装袋の第２実施形態を示す（ａ）は平面図，（ｂ）は図解的に示すＸ−Ｘ線断面図、図３は本発明にかかる包装袋の第３実施形態を示す（ａ）は平面図，（ｂ）は図解的に示すＸ−Ｘ線断面図，（ｃ）は図解的に示すＸ’−Ｘ’線断面図，（ｄ）は図解的に示すＹ−Ｙ線断面図、図４は本発明にかかる包装袋の第４実施形態を示す（ａ）は平面図，（ｂ）は図解的に示すＸ−Ｘ線断面図，（ｃ）は図解的に示すＹ−Ｙ線断面図、図５は本発明かかる包装袋の第５実施形態を示す（ａ）は平面図，（ｂ）は図解的に示すＸ−Ｘ線断面図，（ｃ）は図解的に示すＹ−Ｙ線断面図であり、図中の１Ａ，２Ａ，３Ａ，４Ａ，５Ａは包装袋、２は背部、１０は合掌熱接着部、１１，１６，１８は開口端縁熱接着部、１２，１４、１４’，１９は下端縁熱接着部、１３は略Ｌ字形状接着部、１５は前記側端縁熱接着部、１７，２１は仕切り用熱接着部、２０は空間形成用熱接着部、２２は第１合掌熱接着部、２３は第２合掌熱接着部、２４は筒状体端縁熱接着部、２４’は背部端縁熱接着部、Ｇはガセット折込部、Ｋは切欠、Ｒは未接着領域、Ｓは積層体、Ｓ１は前壁部材，Ｓ２は後壁部材，Ｓ３はガセット部形成部材をそれぞれ示す。
【００１２】
図１は本発明にかかる包装袋の第１実施形態を示す（ａ）は平面図，（ｂ）は図解的に示すＸ−Ｘ線断面図，（ｃ）は図解的に示すＹ−Ｙ線断面図であって、包装袋１Ａは
基材層と熱接着性樹脂層を少なくとも備えた矩形状の積層体Ｓの対向する端部を前記熱接着性樹脂層同士が当接するように重ね合せて熱接着して合掌熱接着部１０を設けた筒状体となし、該筒状体の前記合掌熱接着部１０と対向する位置を内側に折り込んでガセット折込部Ｇを設け、該ガセット折込部Ｇと直交する方向の上下両端部を開口端縁熱接着部１１と下端縁熱接着部１２で密封し、前記ガセット折込部Ｇの対向する折込み開始端部と前記ガセット折込部Ｇの対向する前記下端部〔図１（ａ）上〕とを接着して略Ｌ字形状接着部１３となしたものである。
【００１３】
図２は本発明にかかる包装袋の第２実施形態を示す（ａ）は平面図，（ｂ）は図解的に示すＸ−Ｘ線断面図であって、包装袋２Ａは図１に示した前記合掌熱接着部１０が端部に位置するようにしてガセット折込部Ｇを対向する位置に設け、該ガセット折込部Ｇと直交する方向の上下両端部を開口端縁熱接着部１１と下端縁熱接着部１２で密封し、図２（ａ）上において左右に存在するそれぞれの前記ガセット折込部Ｇの対向する折込み開始端部と前記ガセット折込部Ｇの対向する前記下端部とを接着して略Ｌ字形状接着部１３となしたものである。
【００１４】
このように構成した包装袋１Ａおよび２Ａは、図示はしないが、包装袋１Ａおよび２Ａの上部（図１、２上の開口端縁熱接着部１１ないし開口端縁熱接着部１１側）に設けられた、たとえば、Ｉ字形状、Ｖ字形状、Ｕ字形状、亀甲形状等の切込や切欠等の開封手段を用いて開封して個包装品を取り出して、個包装を解くことにより内容物を取り出した後の個包装材を略Ｌ字形状接着部１３で囲まれた空間をゴミ箱として用い、これに収納することができ、散逸することなく、スマートに処理することができると共に、内容物を使い切った後は空間に収納されたゴミとしての個包装材を包装袋と一緒に一度に極めて効率的に廃棄することができる。
【００１５】
図３は本発明にかかる包装袋の第３実施形態を示す（ａ）は平面図，（ｂ）は図解的に示すＸ−Ｘ線断面図，（ｃ）は図解的に示すＸ’−Ｘ’線断面図，（ｄ）は図解的に示すＹ−Ｙ線断面図であって、包装袋３Ａは基材層と熱接着性樹脂層を少なくとも備えた矩形状の積層体Ｓの３ピース構成、具体的には前壁部材Ｓ１と、該前壁部材Ｓ１よりも一方向のみが長い後壁部材Ｓ２とを、前記熱接着性樹脂層同士を対向させて三つの端縁が一致するように重ね合わせ、他方において矩形状のガセット部形成部材Ｓ３を前記熱接着性樹脂層が表出するように略Ｖ字形状に折り畳むと共に折り畳んで重なった部分の両端部（折り畳んだ折部と直交する方向の両端部）を、たとえば、略半円形状に切り欠いた切欠Ｋを設け、このように構成したガセット部形成部材Ｓ３を折り畳んだ折部が前記前後壁部材Ｓ１、Ｓ２の間に位置するように、かつ、前記ガセット部形成部材Ｓ３の前記折部を除く三つの端縁が前記前後壁部材Ｓ１、Ｓ２の段違いの端縁とこの端縁に連接する両端縁と一致するように挿入し、前記ガセット部形成部材Ｓ３を前記折部と対向する端縁と前記折部と直交する方向の端縁とを熱接着してそれぞれ下端縁熱接着部１４、１４’と側端縁熱接着部１５、１５となすと共に、前記下端縁熱接着部１４、１４’と対向する端縁を熱接着して開口端縁熱接着部１６となし、さらに、前記ガセット部形成部材Ｓ３の前記折部近傍に前記側端縁熱接着部１５、１５にそれぞれ連接して前記折部に沿って互いに接近するように延びる仕切り用熱接着部１７、１７が前記前壁部材Ｓ１と前記ガセット部形成部材Ｓ３とを熱接着することにより設けられたものである。なお、図３に示した第３実施形態の包装袋においては前記仕切り用熱接着部１７を設けたものを示したが、この仕切り用熱接着部は必ず設けなければならないものでもない。
【００１６】
このように構成した包装袋３Ａは、図示はしないが、包装袋３Ａの上部（図３上の上部）に設けられた開封手段を用いて開封して個包装品を取り出して、個包装を解くことにより内容物を取り出した後の個包装材を前記前壁部材Ｓ１と前記ガセット部形成部材Ｓ３とで構成され、前記下端縁熱接着部１４と前記側端縁熱接着部１５と前記仕切り用熱接着部１７で略Ｃの字形状に囲まれた空間をゴミ箱として用い、これに収納することができ、散逸することなく、スマートに処理することができると共に、内容物を使い切った後は空間に収納されたゴミとしての個包装材を包装袋と一緒に一度に極めて効率的に廃棄することができる。
【００１７】
図４は本発明にかかる包装袋の第４実施形態を示す（ａ）は平面図，（ｂ）は図解的に示すＸ−Ｘ線断面図，（ｃ）は図解的に示すＹ−Ｙ線断面図であって、包装袋４Ａは基材層と熱接着性樹脂層を少なくとも備えた矩形状の積層体Ｓの３ピース構成、具体的には前壁部材Ｓ１と、該前壁部材Ｓ１よりも一方向のみが長い後壁部材Ｓ２とを、前記熱接着性樹脂層同士を対向させて三つの端縁が一致するように重ね合わせ、他方において矩形状のガセット部形成部材Ｓ３を前記熱接着性樹脂層が表出するように略Ｖ字形状に折り畳むと共に折り畳んで重なった部分の両端部（折り畳んだ折部と直交する方向の両端部）を、たとえば、略半円形状に切り欠いた切欠Ｋを設け、このように構成したガセット部形成部材Ｓ３を折り畳んだ折部が前記前後壁部材Ｓ１、Ｓ２の間に位置するように、かつ、前記ガセット部形成部材Ｓ３の前記折部を除く三つの端縁が前記前後壁部材Ｓ１、Ｓ２の段違いの端縁とこの端縁に連接する両端縁と一致するように挿入し、前記ガセット部形成部材Ｓ３を前記折部と対向する端縁であって、前記後壁部材Ｓ２と当接する端縁と前記折部と直交する方向の端縁とを熱接着してそれぞれ開口端縁熱接着部１８と側端縁熱接着部１５、１５となすと共に、前記開口端縁熱接着部と対向する端縁を熱接着して下端縁熱接着部１９となし、さらに、前記ガセット部形成部材Ｓ３の前記折部近傍にて前記側端縁熱接着部１５、１５間を繋ぐ前記折部に平行な空間形成用熱接着部２０を前記前壁部材Ｓ１と前記ガセット部形成部材Ｓ３とを熱接着することにより設けると共に、前記前壁部材Ｓ１と前記ガセット部形成部材Ｓ３との間であって前記側端縁熱接着部１５、１５間を分割する仕切り用熱接着部２１が前記前壁部材Ｓ１と前記ガセット部形成部材Ｓ３とを熱接着することにより設けられたものである。なお、図４に示した第４実施形態の包装袋においては前記仕切り用熱接着部２１を３箇所設けたものを示したが、仕切りの数は必ず設けなければならないものでもないし、３箇所に限定されるものでもない。
【００１８】
このように構成した包装袋４Ａは、図示はしないが、包装袋４Ａの上部（図４上の上部）に設けられた開封手段を用いて開封して個包装品を取り出して、個包装を解くことにより内容物を取り出した後の個包装材を前記前壁部材Ｓ１と前記ガセット部形成部材Ｓ３とで構成され、前記空間形成用熱接着部２０と前記側端縁熱接着部１５と前記仕切り用熱接着部２１で４分割された空間、あるいは、ガセット部形成部材Ｓ３の略Ｖ字形状に折り畳まれた領域で前記折部と前記側端縁熱接着部１５で囲まれた空間の２箇所の空間をゴミ箱として用い、これらの空間に収納することができ、散逸することがなく、スマートに処理することができると共に、内容物を使い切った後は空間に収納されたゴミとしての個包装材を包装袋と一緒に一度に極めて効率的に廃棄することができる。
【００１９】
図５は本発明かかる包装袋の第５実施形態を示す（ａ）は平面図，（ｂ）は図解的に示すＸ−Ｘ線断面図，（ｃ）は図解的に示すＹ−Ｙ線断面図であって、包装袋５Ａは基材層と熱接着性樹脂層を少なくとも備えた矩形状の積層体Ｓの対向する端部を前記熱接着性樹脂層同士が当接するように重ね合せて熱接着して第１合掌熱接着部２２を設けると共に、該第１合掌熱接着部２２から一定距離をおいて前記第１合掌熱接着部２２に平行に第２合掌熱接着部２３を設けて前記第１合掌熱接着部２２と前記第２合掌熱接着部２３の間に未接着領域Ｒを有する背部２を備えた筒状体となし、前記第２合掌熱接着部２３の前記筒状体側の端縁で折って前記背部２を前記筒状体に密着させると共に、前記背部２が包装袋としたときに包装袋の略中央に位置するように前記筒状体および前記背部２の両端の開口部を熱接着して両端に筒状体を熱接着した筒状体端縁熱接着部２４と両端に前記背部２を熱接着した背部端縁熱接着部２４’を備えた形状からなる変形のピロータイプの包装袋である。
【００２０】
このように構成した包装袋５Ａは、図示はしないが、包装袋５Ａの左右（図５上の左右）いずれかの端部、ないし、左右いずれかに設けられた開封手段のいずれかによりピロー袋を開封すると共に、前記未接着領域Ｒも同様に開封して個包装品を取り出して、個包装を解くことにより内容物を取り出した後の個包装材を前記未接着領域Ｒ内の空間をゴミ箱として用い、この空間に収納することができ、散逸することがなく、スマートに処理することができると共に、内容物を使い切った後は空間に収納されたゴミとしての個包装材を包装袋と一緒に一度に極めて効率的に廃棄することができる。
【００２１】
以上縷々説明したように、包装袋１Ａ，包装袋２Ａ，包装袋４Ａが包装袋の外側にゴミ箱として機能する開放された空間を備えた構造となっているのに対し、包装袋３Ａは包装袋の内側にゴミ箱として機能する空間を備えた構造となり、また、包装袋５Ａは包装袋の外側にゴミ箱として機能する密閉された空間を備えた構造となっている。また、本発明の包装袋は、実施例において説明した態様に限るものではなく、本発明の趣旨を逸脱しない範疇のものはすべて本発明に含まれるものである。
【００２２】
次に、本発明の包装袋を構成する積層体Ｓについて説明する。まず、前記積層体Ｓを構成する熱接着性樹脂層としては、熱によって溶融し相互に融着し得るものであればよいのであって、たとえば、低密度ポリエチレン、中密度ポリエチレン、高密度ポリエチレン、直鎖状（線状）低密度ポリエチレン、ポリプロピレン、エチレンー酢酸ビニル共重合体、アイオノマー樹脂、エチレンーアクリル酸共重合体、エチレンーアクリル酸メチル共重合体、エチレンーメタクリル酸共重合体、エチレンープロピレン共重合体等の樹脂の一種ないしそれ以上からなる樹脂ないしはこれらをフィルム化したシートを使用することができ、その厚さとしては、３０〜２００μｍが適当である。
【００２３】
また、基材層としては、包装袋を構成する基本素材となることから、機械的、物理的、化学的等において優れた性質を有する合成樹脂を用いることができ、たとえば、ポリエステル系、ポリアミド系、ポリプロピレン系、ポリカーボネート系、ポリアセタール系等の樹脂を用いることができる。また、前記外層として使用する合成樹脂製のフィルムは、前記合成樹脂製フィルムの内層側に一般的には印刷が施されることが多いために、前記外層として使用する合成樹脂製フィルムは印刷適性が求められ、２軸方向に延伸した延伸フィルムが好適である。このフィルムの厚さとしては基本素材としての強度、剛性などについて必要最低限に保持され得る厚さであればよく、コストを考慮すると１２〜２５μｍ程度が適当である。また、前記合成樹脂製のフィルムは、必要に応じてポリ塩化ビニリデンが塗工されたフィルムやアルミニウムや酸化珪素、酸化アルミニウム、酸化インジウム、酸化錫、酸化ジルコニウム等の無機物の蒸着層が形成されたフィルムとしてバリアー性を有する構成としてもよい。また、必要に応じて合成紙、不織布、紙、セロハン等も適宜使用できる。また、図１および図２に示した第１実施形態の包装袋１Ａおよび第２実施形態の包装袋２Ａにあっては、前記略Ｌ字形状接着部１３は前記基材層面を接着してゴミ箱として機能する空間を形成することになるため、この略Ｌ字形状接着部１３は、ホットメルト接着剤等の接着剤を用いて形成してもよいが、好ましくは、基材層を構成する合成樹脂製フィルムの包装袋とした際に表出面となる面に熱接着可能な層を有する、たとえば、ヒートシール性２軸延伸ポリプロピレンフィルム〔東セロ（株）製：ＨＣ−ＯＰ（商品名）、東洋紡（株）製：Ｐ３１６２（商品名）〕、ヒートシール性２軸延伸ポリエチレンテレフタレートフィルム〔東洋紡（株）製：Ｅ７７００（商品名）、帝人デユポン（株）製：マイラー８５０（商品名）〕等のタイプである。
【００２４】
また、本発明においては、前記積層体Ｓを構成する前記熱接着性樹脂層と前記基材層の間に中間層を設けてもよく、前記中間層は通常前記熱接着性樹脂層と前記基材層だけでは包装袋としての機能を十分に果たすことができない場合等に設けられるものである。前記機能としては、気体遮断性、機械的強靭性、耐屈曲性、耐突き刺し性、耐衝撃性、耐寒性、耐熱性、耐薬品性等であり、中間層を設けることで包装袋として要求されるこれらの最終的な機能を達成するものである。前記中間層として用いられる基材としては、たとえば、アルミニウム、鉄、銅、錫等の金属箔、あるいは、ポリエチレンテレフタレート，ポリカーボネート等のポリエステル、ポリアミド、ポリエチレン，ポリプロピレン，エチレンープロピレン共重合体等のポリオレフィン、ポリ塩化ビニル、ポリビニルアルコール、エチレンービニルアルコール等のフィルムあるいはこれらにポリ塩化ビニリデンを塗工したフィルムないしはアルミニウムや酸化珪素、酸化アルミニウム、酸化インジウム、酸化錫、酸化ジルコニウム等の無機物の蒸着を施したフィルムあるいはポリ塩化ビニリデン等のフィルム、あるいは、紙、セロハン、合成紙などを用いることができる。また、これら基材の一種ないしそれ以上を組み合わせて使用することができる。尚、上記基材の厚さとしては、包装袋として要求される機能を満たすことができればよいのであって、必要に応じて適宜に選ぶことができる。
【００２５】
また、包装袋に易開封性を与える目的で、前記基材層および／ないし前記中間層に引き裂き開封方向に延伸された一軸延伸フィルムを用いてもよいものである。
【図面の簡単な説明】
【００２６】
【図１】本発明にかかる包装袋の第１実施形態を示す（ａ）は平面図，（ｂ）は図解的に示すＸ−Ｘ線断面図，（ｃ）は図解的に示すＹ−Ｙ線断面図である。
【図２】本発明にかかる包装袋の第２実施形態を示す（ａ）は平面図，（ｂ）は図解的に示すＸ−Ｘ線断面図である。
【図３】本発明にかかる包装袋の第３実施形態を示す（ａ）は平面図，（ｂ）は図解的に示すＸ−Ｘ線断面図，（ｃ）は図解的に示すＸ’−Ｘ’線断面図，（ｄ）は図解的に示すＹ−Ｙ線断面図である。
【図４】本発明にかかる包装袋の第４実施形態を示す（ａ）は平面図，（ｂ）は図解的に示すＸ−Ｘ線断面図，（ｃ）は図解的に示すＹ−Ｙ線断面図である。
【図５】本発明かかる包装袋の第５実施形態を示す（ａ）は平面図，（ｂ）は図解的に示すＸ−Ｘ線断面図，（ｃ）は図解的に示すＹ−Ｙ線断面図である。
【符号の説明】
【００２７】
１Ａ，２Ａ，３Ａ，４Ａ，５Ａ          包装袋
２                                    背部
１０                                  合掌熱接着部
１１，１６，１８                      開口端縁熱接着部
１２，１４、１４’，１９              下端縁熱接着部
１３                                  略Ｌ字形状接着部
１５                                  前記側端縁熱接着部
１７，２１                            仕切り用熱接着部
２０                                  空間形成用熱接着部
２２                                  第１合掌熱接着部
２３                                  第２合掌熱接着部
２４                                  筒状体端縁熱接着部
２４’                                背部端縁熱接着部
Ｇ                                    ガセット折込部
Ｋ                                    切欠
Ｒ                                    未接着領域
Ｓ                                    積層体
Ｓ１                                  前壁部材
Ｓ２                                  後壁部材
Ｓ３                                  ガセット部形成部材
【図１】
2008213876.tif 000003
【図２】
2008213876.tif 000004
【図３】
2008213876.tif 000005
【図４】
2008213876.tif 000006
【図５】
2008213876.tif 000007